(57)【要約】【課題】主に、立体表示文字板を用いた場合に、文字板照明機能部と、警告灯等点灯機能部とをうまく両立させて組付けることができるようにすることを目的としている。【解決手段】文字板６として、透明基材２１の表面側に微細レンズ部４１を有すると共に、透明基材２１の裏面側に拡大表示用図柄部４２を有して、微細レンズ部４１で拡大表示用図柄部４２を拡大して成る拡大図柄部４３を、透明基材２１の面から離れた位置に視認させ得るように構成した立体表示文字板４４が用いられ、文字板照明機能部３５が、立体表示文字板４４の裏面側に当接配置された薄型の文字板照明用薄型導光板４５と、文字板照明用薄型導光板４５を介して立体表示文字板４４を照明可能な文字板照明用光源４６とを備え、警告灯等点灯機能部３９が、文字板照明用薄型導光板４５の裏面側に当接配置された警告灯等表示板４８と、警告灯等表示板４８に形成された警告灯等表示部３８を点灯表示可能な警告灯等点灯用光源４９とを備えるようにしている。【選択図】図１
2010127877.tif 000002
【特許請求の範囲】
【請求項１】
文字板と、該文字板を照明可能な文字板照明機能部と、前記文字板部分に警告灯等表示部を点灯表示可能な警告灯等点灯機能部とを備えた計器表示装置において、
前記文字板として、透明基材の表面側に微細レンズ部を有すると共に、透明基材の裏面側に拡大表示用図柄部を有して、微細レンズ部で拡大表示用図柄部を拡大して成る拡大図柄部を、透明基材の面から離れた位置に視認させ得るように構成した立体表示文字板が用いられ、
前記文字板照明機能部が、該立体表示文字板の裏面側に当接配置された薄型の文字板照明用薄型導光板と、該文字板照明用薄型導光板を介して立体表示文字板を照明可能な文字板照明用光源とを備え、
前記警告灯等点灯機能部が、文字板照明用薄型導光板の裏面側に当接配置された警告灯等表示板と、該警告灯等表示板に形成された前記警告灯等表示部を点灯表示可能な警告灯等点灯用光源とを備えたことを特徴とする計器表示装置。
【発明の詳細な説明】
【技術分野】
【０００１】
この発明は、計器表示装置に関するものである。
【背景技術】
【０００２】
自動車などの車両には、車室内の前部に計器表示装置が取付けられている。この計器表示装置には、通常、運転情報などを表示するための文字板が備えられている（例えば、特許文献１参照）。
【０００３】
そして、このような計器表示装置には、夜間などに文字板を照明し得るようにするための文字板照明機能部が備えられている。
【０００４】
また、このような計器表示装置には、昼間や夜間などを問わず、必要な時に、文字板部分に警告灯等表示部を点灯表示し得るようにするための警告灯等点灯機能部が備えられている。
【特許文献１】特開２０００−３１０５４６号
【発明の開示】
【発明が解決しようとする課題】
【０００５】
上記したような計器表示装置に対し、文字板として、立体表示文字板を用いることが、本願出願人によって検討されている。
【０００６】
この立体表示文字板は、透明基材の表面側に微細レンズ部を有すると共に、透明基材の裏面側に拡大表示用図柄部を有して、上記した微細レンズ部で拡大表示用図柄部を拡大して成る拡大図柄部を、透明基材の面から離れた位置に、視認させ得るように構成したものである。
【０００７】
しかし、文字板として、立体表示文字板を用いた場合、立体表示文字板に対して、上記した文字板照明機能部と、警告灯等点灯機能部とを、組込むのが困難になるという問題がある。
【課題を解決するための手段】
【０００８】
上記課題を解決するために、請求項１に記載された発明は、文字板と、該文字板を照明可能な文字板照明機能部と、前記文字板部分に警告灯等表示部を点灯表示可能な警告灯等点灯機能部とを備えた計器表示装置において、前記文字板として、透明基材の表面側に微細レンズ部を有すると共に、透明基材の裏面側に拡大表示用図柄部を有して、微細レンズ部で拡大表示用図柄部を拡大して成る拡大図柄部を、透明基材の面から離れた位置に視認させ得るように構成した立体表示文字板が用いられ、前記文字板照明機能部が、該立体表示文字板の裏面側に当接配置された薄型の文字板照明用薄型導光板と、該文字板照明用薄型導光板を介して立体表示文字板を照明可能な文字板照明用光源とを備え、前記警告灯等点灯機能部が、文字板照明用薄型導光板の裏面側に当接配置された警告灯等表示板と、該警告灯等表示板に形成された前記警告灯等表示部を点灯表示可能な警告灯等点灯用光源とを備えたことを特徴としている。
【発明の効果】
【０００９】
請求項１の発明によれば、上記構成によって、以下のような作用効果を得ることができる。即ち、立体表示文字板は、微細レンズ部で拡大表示用図柄部を拡大して成る拡大図柄部を、透明基材の面から離れた位置に視認させることができる。このような立体表示文字板を用いることにより、高い立体感を有する計器表示装置を得ることが可能となる。また、立体表示文字板の裏面側に文字板照明用薄型導光板を当接配置することにより、文字板照明用光源によって立体表示文字板を、拡大図柄部ごと直接照明することができるようになる。しかも、立体表示文字板の裏面側に文字板照明用薄型導光板を直接当接配置しているので、警告灯等表示部とは無関係に、立体表示文字板を照明することができると共に、警告灯等表示部に対して、ほとんど影響を与えないようにすることができる。そして、立体表示文字板とは別に、独立した警告灯等表示板を設けることによって、立体表示文字板に対する上記照明と、警告灯等表示部の機能とを切り離して設けることが可能となる。そして、文字板照明用薄型導光板の裏面側に、警告灯等表示板を重ねて当接配置することにより、文字板照明用薄型導光板を透かして、立体表示文字板の拡大図柄部の部分に警告灯等表示部を重ねて点灯表示させるようにすることができる。この際、文字板照明用薄型導光板を薄型とすることにより、警告灯等表示部が、透明基材の面から近い位置に存在し、また、輪郭などのボケのない状態ではっきりと視認できるようにすることが可能となる。よって、文字板照明機能部と、警告灯等点灯機能部とをうまく両立させて組込むことが可能となる。
【発明を実施するための最良の形態】
【００１０】
本発明は、主に、立体表示文字板を用いた場合に、文字板照明機能部と、警告灯等点灯機能部とをうまく両立させて組込むことができるようにすることを目的としている。
【００１１】
以下、本発明を具体化した実施例について、図示例と共に説明する。
【実施例】
【００１２】
図１〜図９は、この発明の実施例を示すものである。
【００１３】
＜構成＞まず、構成について説明する。
【００１４】
自動車などの車両には、車室内の前部に、図１〜図３（主に図１参照のこと）に示すような、計器表示装置１が取付けられている。なお、この場合、計器表示装置１は、速度計と回転計との２つの計器部２，３を一体的に備えた、二連メータとされている。但し、計器表示装置１の構成は、これに限るものではない。
【００１５】
このような計器表示装置１は、図２に示すように、特に図示しない樹脂製のハウジングに対して、電子基板５と、文字板６とを取付けた構成を備えている。文字板６は、電子基板５の上側（表面側）に、所要の間隔を有して平行に配置されている。なお、上記した二連メータの場合、電子基板５と、文字板６とは、上記した２つの計器部２，３によって共用されることになる。
【００１６】
電子基板５の裏面側には、ムーブメント８が取付けられており、このムーブメント８の出力軸９は、電子基板５および文字板６にそれぞれ形成された軸孔１１，１２に対してほぼ面直状態で貫通配置されている。そして、この出力軸９を指針軸１３として、文字板６の表面側に突出された指針軸１３の先端に、指針１４の基部（またはその近傍部分）が取付けられている。更に、指針軸１３と指針１４との取付部分には、この取付部分を隠し得るようにするための指針キャップ１５が嵌着されている。指針１４は、照明が可能なように、無色または有色の透明な樹脂によって形成されている。一方、指針キャップ１５は、指針照明光が外部に漏れないようにするために、不透明な樹脂などによって形成されている。
【００１７】
このような計器表示装置１に対して、夜間などに指針１４を照明し得るようにするための指針照明機能部１６が設けられる。この指針照明機能部１６として、電子基板５の表面側における、指針キャップ１５の内側部分と対応する位置には、１個または複数個の指針照明用光源１７が取付けられる。この指針照明用光源１７には、ＬＥＤなどの省電力型の低輝度（長寿命）光源が使用される。そして、この指針照明用光源１７の周囲には、指針キャップ１５の外周部とほぼ対応させて、電子基板５から文字板６などに達する高さの、ほぼ円筒状をした指針照明用漏光防止壁１８が設けられる。
【００１８】
一方、文字板６は、図４に示すように、樹脂製の透明基材２１と、この透明基材２１の裏面側に形成された文字板意匠形成部２２とを備えている。
【００１９】
そして、上記した文字板意匠形成部２２によって、図１に示すように、指針回動領域２５と、指針回動領域２５の外側の外部領域２６とが画成されている。このうち指針回動領域２５は、指針１４が回動する範囲を示すものとして形成されている。そして、この場合、指針回動領域２５は、更に、外周部分を構成する数値目盛表示部２７と、数値目盛表示部２７の内側部分を構成する中央領域部２８とを有している。数値目盛表示部２７は、所要の幅を有する帯状とされると共に、リング状とされている。この数値目盛表示部２７は、帯状塗潰部分３１と数値・目盛部３２とを有している。また、中央領域部２８は、ほぼ円形のものとされている。なお、指針回動領域２５などの形状は、円形に限るものではなく、例えば、円形を部分的に切欠いた切欠円形状などとしても良い。
【００２０】
そして、この計器表示装置１には、図２、図３に示すように、夜間などに文字板６を照明可能な文字板照明機能部３５が備えられる。この文字板照明機能部３５については、後述する。
【００２１】
なお、この文字板照明機能部３５によって数値目盛表示部２７を照明するために、数値・目盛部３２は、無印刷部または有色の透光性印刷部とされている。また、数値・目盛部３２以外の帯状塗潰部分３１は、暗色の不透光性印刷部とされている。
【００２２】
また、この計器表示装置１には、昼間や夜間などを問わず、必要な時に文字板６の部分に警告灯等表示部３８を点灯表示可能な警告灯等点灯機能部３９が備えられる。この警告灯等点灯機能部３９については、後述する。
【００２３】
なお、警告灯等には、警告灯や指示灯や表示灯などが含まれるものとする。
【００２４】
このような基本的な構成に対し、この実施例では、以下のような構成を備えるようにしている。
【００２５】
即ち、上記した文字板６として、図４に示すように、透明基材２１の表面側に微細レンズ部４１を有すると共に、透明基材２１の裏面側に拡大表示用図柄部４２（図５参照）を有して、微細レンズ部４１で拡大表示用図柄部４２を拡大して成る拡大図柄部４３（図６参照）を、図７に示すように、透明基材２１の面から離れた位置に視認させ得るように構成した立体表示文字板４４が用いられる。
【００２６】
また、文字板照明機能部３５として、図２、図３に示すように、立体表示文字板４４の裏面側に当接配置された薄型の文字板照明用薄型導光板４５と、文字板照明用薄型導光板４５を介して立体表示文字板４４を照明可能な文字板照明用光源４６とが備えられる。
【００２７】
そして、警告灯等点灯機能部３９として、文字板照明用薄型導光板４５の裏面側に当接配置された警告灯等表示板４８と、警告灯等表示板４８に形成された警告灯等表示部３８を点灯表示可能な警告灯等点灯用光源４９とが備えられる。
【００２８】
この際、視認性を向上するために、警告灯等点灯機能部３９は、指針回動領域２５の中央領域部２８に対して集中配置させるようにする。そのために、警告灯等点灯機能部３９の警告灯等表示板４８は、文字板照明機能部３５の文字板照明用薄型導光板４５の裏面側に重ねて設けられる（当接配置する）ようにする。
【００２９】
上記のより詳細な構成は、以下の通りである。
【００３０】
先ず、図４に示すように、「微細レンズ部４１」は、例えば、多数のいわゆるマイクロレンズ５１を有する微細レンズ群設置部として構成される。このマイクロレンズ５１は、例えば、精密金型を用いて透明基材２１に形成することが可能である。また、マイクロレンズ５１は、例えば、透明樹脂を溶剤に溶かしたインクを、インクジェットプリンタを用いて噴射することにより、透明基材２１に印刷形成することができる。この場合、噴射された透明樹脂は、表面張力によって自然に凸レンズとなる。
【００３１】
なお、微細レンズ部４１が、凸レンズ状のマイクロレンズ５１（マイクロ凸レンズ）の集合体である場合には、大雑把に言って、一枚の凸レンズに近いレンズ効果を得ることができる。但し、拡大表示用図柄部４２に対する拡大効果は、拡大表示用図柄部４２が、微細レンズ部４１に対して（立体表示文字板４４の面方向に）特定の位置関係となった時にのみ得られることになる。この特定の位置関係は、若干の範囲を有しており、この範囲内で微細レンズ部４１による拡大倍率を変更することができる。この際、微細レンズ部４１による拡大倍率が大きくなるに従い、図６、図７の拡大図柄部４３は遠くに離れて見える傾向を有している。
【００３２】
なお、拡大表示用図柄部４２が、微細レンズ部４１に対して、上記した特定の位置関係から外れるほとんどの場合（以下、通常の位置関係という）には、拡大効果は得られなくなる（即ち、等倍にしか見えなくなる）。このように、上記した微細レンズ部４１は、一枚の凸レンズとは異なった特性をも併有している。
【００３３】
この場合、拡大図柄部４３は、外部領域２６および中央領域部２８に対して発生させるようにしている。そして、数値目盛表示部２７については、帯状塗潰部分３１と数値・目盛部３２とが等倍に視認されるように設定している。
【００３４】
そのために、例えば、透明基材２１に対し、ほぼ全面に微細レンズ部４１を設けると共に、数値目盛表示部２７については、帯状塗潰部分３１と数値・目盛部３２とが微細レンズ部４１に対して上記した特定の位置関係から外れる（通常の位置関係となる）ように形成し、また、外部領域２６および中央領域部２８については、拡大表示用図柄部４２が微細レンズ部４１に対して上記した特定の位置関係となるように形成する。
【００３５】
または、透明基材２１の外部領域２６および中央領域部２８と対応する位置にのみ、それぞれ微細レンズ部４１と拡大表示用図柄部４２とを部分的に設けると共に、微細レンズ部４１に対して拡大表示用図柄部４２が上記した特定の位置関係となるようにしても良い。
【００３６】
図５に示す「拡大表示用図柄部４２」は、透光性の印刷部で構成される。拡大表示用図柄部４２は、文字板６の図柄として適していれば、どのような図柄であっても良い。但し、拡大表示用図柄部４２は、文字板６の図柄となるので、余り目立ち過ぎないような色彩や色調のものとするのが好ましい。この場合には、例えば、淡色系の市松模様の微細パターンなどとされている。更に、拡大表示用図柄部４２の裏面側にはベースカラー印刷層２３が形成される。この場合、ベースカラー印刷層２３は、表面側からの光（外光）に対する反射性と、裏面側からの光（照明光）に対する透過性とを有するミラー系インクなどによって形成するのが好ましい。このミラー系インクは、くすんだ銀色系のものなどとされる。拡大表示用図柄部４２およびベースカラー印刷層２３は、例えば、スクリーン印刷やオフセット印刷などによって印刷形成される。
【００３７】
図６、図７に示す「拡大図柄部４３」は、上記した拡大表示用図柄部４２が、部分的に数十倍に拡大されたものとなる。上記したように、微細レンズ部４１を、一枚の凸レンズに近いレンズ効果が得られるものとした場合、拡大図柄部４３は、透明基材２１の面よりも奥側に視認されることとなる（沈込拡大虚像）。
【００３８】
図２、図３に示す「文字板照明用薄型導光板４５」は、透明な樹脂によって構成されている。この文字板照明用薄型導光板４５は、文字板照明を行う部分に対して設けられる。この場合、文字板照明は、指針回動領域２５の中央領域部２８と、外部領域２６との両方で行われるようにしている。但し、警告灯等点灯機能部３９が設けられる指針回動領域２５の中央領域部２８についてのみ図示するようにしている。なお、外部領域２６については、特に図示していないが、中央領域部２８とほぼ同様の構造を採用することができる。そして、この場合、文字板照明用薄型導光板４５は、指針回動領域２５と等しい大きさのほぼ円形状のものとされている。この文字板照明用薄型導光板４５には、上記した指針照明用漏光防止壁１８の内周とほぼ対応する大きさの貫通孔が形成されている。
【００３９】
この文字板照明用薄型導光板４５は、可能な限り薄いものを用いるのが好ましい。この場合には、厚さ０．３ｍｍ〜０．５ｍｍ程度の透明フィルムが用いられる。文字板照明用薄型導光板４５の裏面側には、例えば、図８、図９に示すように、文字板照明用光源４６からの光を透明基材２１へ向けて反射するための反射部５２が形成される。この場合、反射部５２は、透明基材２１を均等に照明させ得るようにするために、文字板照明用光源４６に近いものは小さくなり、遠いものは大きくなるように、その大きさを調整するなどしている。
【００４０】
図２、図３の「文字板照明用光源４６」には、ＬＥＤなどの省電力型の低輝度（長寿命）光源が使用される。文字板照明用光源４６は、例えば、文字板照明用薄型導光板４５の端面に、直接当接配置させるようにする。文字板照明用光源４６は、例えば、図２に示すように、文字板照明用薄型導光板４５の周縁部に延長部５３を１箇所または数箇所設けて、この延長部に対して設置するようにしても良い。或いは、文字板照明用光源４６は、図３に示すように、文字板照明用薄型導光板４５の周縁部に、周方向に間隔を有して複数箇所設けるようにしても良い。なお、文字板照明用光源４６が、立体表示文字板４４と干渉するおそれがある場合には、文字板照明用薄型導光板４５は、干渉が生じなくなる程度に、文字板照明用光源４６が設けられる部分などを反対側へ折目が付かない程度に折り曲げるようにすることもできる。
【００４１】
「警告灯等表示板４８」は、上記したように、立体表示文字板４４とは別に独立して設けられると共に、この場合には、指針回動領域２５の中央領域部２８に設置される。そのため、警告灯等表示板４８は、中央領域部２８とほぼ同じ大きさの円板状のものとされている。この警告灯等表示板４８には、上記した指針照明用漏光防止壁１８の内周とほぼ対応する大きさの貫通孔が形成されている。
【００４２】
そして、警告灯等表示板４８は、図３に示すように、樹脂製の透明基材５５と、この透明基材５５の裏面側または表面側に形成された警告灯等意匠形成部５６とによって構成されている。この警告灯等意匠形成部５６は、上記した警告灯等表示部３８と、この警告灯等表示部３８以外の外側塗潰部分５７とを備えている。
【００４３】
「警告灯等表示部３８」は、有孔の円板状をした警告灯等表示板４８に対し、周方向に所定の間隔を有して複数形成されている。この警告灯等表示板４８および警告灯等表示部３８は、微細レンズ部４１による拡大効果が得られないような位置関係（通常の位置関係）となるように設置される。よって、立体表示文字板４４は、中央領域部２８においては、実際には手前側に位置している拡大表示用図柄部４２が、（立体表示文字板４４よりも）奥側の位置に拡大された拡大図柄部４３となって視認されると共に、点灯表示時に、実際には奥側に位置している警告灯等表示部３８が、（手前側にある）立体表示文字板４４の位置に等倍で視認されるものとなる。しかも、警告灯等表示部３８は、拡大図柄部４３に重なった状態で視認されることになる。
【００４４】
警告灯等表示部３８は、無印刷部としても、有色の透光性印刷部としても良い。また、外側塗潰部分５７は、不透光性印刷部とし、更に、外部から見え難いようにするために、余り目立たない色彩を有するものなどとするのが好ましい。なお、外側塗潰部分５７は、図３では、都合上、白地となっているが、これに限るものではない。
【００４５】
「警告灯等点灯用光源４９」には、ＬＥＤなどの省電力型の低輝度（長寿命）光源が使用される。警告灯等点灯用光源４９は、電子基板５の各警告灯等表示部３８と対応する位置に対して、それぞれ独立して取付けるようにする。各警告灯等点灯用光源４９の周囲には、図２に示すように、電子基板５から警告灯等表示板４８に達する高さの警告灯等用漏光防止壁５９がそれぞれ設けられる。なお、警告灯等用漏光防止壁５９は、それぞれを別体に構成しても一体に構成しても良く、また、一体化した場合には、更に、指針照明用漏光防止壁１８と一体に構成するようにしても良い。
【００４６】
＜作用＞次に、この実施例の作用について説明する。
【００４７】
ムーブメント８を駆動すると、指針軸１３を介して指針１４が回動される。これによって、指針１４に数値目盛表示部２７の数値・目盛部３２を現示させることができる。
【００４８】
昼間などの照明非点灯時には、立体表示文字板４４では、数値目盛表示部２７が、透明基材２１の位置に等倍で視認される。また、指針回動領域２５の中央領域部２８と外部領域２６とには、透明基材２１よりも奥側の位置に拡大された拡大図柄部４３が視認される。これによって、立体表示文字板４４は、数値目盛表示部２７と拡大図柄部４３との間に高低差（または前後（奥行）方向の位置の差）を有する立体感の高いものとなる。なお、この状態では、警告灯等表示部３８は、表示されていない。
【００４９】
夜間などに、指針照明用光源１７を点灯することによって、指針１４を光らせることができる。同様に、文字板照明用光源４６を点灯することによって、文字板照明用薄型導光板４５を介して立体表示文字板４４（少なくとも指針回動領域２５）を照明することができる。この際、指針１４は、その内部に、指針照明用光源１７からの光が入射されることによって、それ自身が光るように照明される。また、数値目盛表示部２７では、文字板照明用光源４６からの光が、ベースカラー印刷層２３および数値・目盛部３２を透過することによって、数値・目盛部３２が照明されることとなる。また、中央領域部２８では、文字板照明用光源４６からの光が、ベースカラー印刷層２３および拡大表示用図柄部４２を透過することによって、拡大図柄部４３が光って見えることとなる。なお、この状態では、警告灯等表示部３８は、表示されていない。また、外部領域２６についても、同様にして、拡大図柄部４３を光らせるようにすることが可能である。
【００５０】
そして、昼間や夜間などを問わず、必要な時に、警告灯等点灯用光源４９を光らせることにより、警告灯等表示部３８が点灯表示されて、立体表示文字板４４の拡大図柄部４３の部分に、実際に警告灯等表示部３８が透けて見えるようになる。この際、中央領域部２８では、警告灯等点灯用光源４９からの光が、警告灯等表示板４８の警告灯等表示部３８、および、文字板照明用薄型導光板４５、並びに、立体表示文字板４４のベースカラー印刷層２３と拡大表示用図柄部４２とを透過することによって、警告灯等表示部３８が照明される。この場合、警告灯等表示部３８は、立体表示文字板４４の位置にて等倍で視認される。なお、警告灯等表示部３８には、拡大表示用図柄部４２が重畳されているが、拡大表示用図柄部４２は、上記したように、淡色系の微細パターンであるため、拡大表示用図柄部４２が目立つようなことはない。反対に、警告灯等点灯用光源４９を消すことにより、警告灯等表示部３８が消灯して立体表示文字板４４の拡大図柄部４３の部分から見えなくなる。なお、上記は、複数存在している警告灯等表示部３８ごとに、独立して行われることとなる。
【００５１】
そして、この実施例によれば、文字板６と、文字板６を照明可能な文字板照明機能部３５と、文字板６の部分に警告灯等表示部３８を点灯表示可能な警告灯等点灯機能部３９とを備えた計器表示装置において、文字板６として、透明基材２１の表面側に微細レンズ部４１を有すると共に、透明基材２１の裏面側に拡大表示用図柄部４２を有して、微細レンズ部４１で拡大表示用図柄部４２を拡大して成る拡大図柄部４３を、透明基材２１の面から離れた位置に視認させ得るように構成した立体表示文字板４４が用いられ、文字板照明機能部３５が、立体表示文字板４４の裏面側に当接配置された薄型の文字板照明用薄型導光板４５と、文字板照明用薄型導光板４５を介して立体表示文字板４４を照明可能な文字板照明用光源４６とを備え、警告灯等点灯機能部３９が、文字板照明用薄型導光板４５の裏面側に当接配置された警告灯等表示板４８と、警告灯等表示板４８に形成された警告灯等表示部３８を点灯表示可能な警告灯等点灯用光源４９とを備えたことによって、以下のような作用効果を得ることができる。以下、箇条書きにする。
・立体表示文字板４４は、微細レンズ部４１で拡大表示用図柄部４２を拡大して成る拡大図柄部４３を、透明基材２１の面から離れた位置に視認させることができる。
・このような立体表示文字板４４を用いることにより、高い立体感を有する計器表示装置１を得ることが可能となる。
・また、立体表示文字板４４の裏面側に文字板照明用薄型導光板４５を当接配置することにより、文字板照明用光源４６によって立体表示文字板４４を、拡大図柄部４３ごと直接照明することができるようになる。
・しかも、立体表示文字板４４の裏面側に文字板照明用薄型導光板４５を直接当接配置しているので、警告灯等表示部３８とは無関係に、立体表示文字板４４を照明することができると共に、警告灯等表示部３８に対して、ほとんど影響を与えないようにすることができる。
・そして、立体表示文字板４４とは別に、独立した警告灯等表示板４８を設けることによって、立体表示文字板４４に対する上記照明と、警告灯等表示部３８の機能とを切り離して設けることが可能となる。
・そして、文字板照明用薄型導光板４５の裏面側に、警告灯等表示板４８を重ねて当接配置することにより、文字板照明用薄型導光板４５を透かして、立体表示文字板４４の拡大図柄部４３の部分に重ねて警告灯等表示部３８を点灯表示させるようにすることができる。
・この際、文字板照明用薄型導光板４５を薄型とすることにより、警告灯等表示部３８が、透明基材２１の面から近い位置に存在し、また、輪郭などのボケのない状態ではっきりと視認できるようにすることが可能となる。
・よって、文字板照明機能部３５と、警告灯等点灯機能部３９とをうまく両立させて組込むことが可能となる。
【００５２】
以上が、この発明の実施例である。なお、文章中に「等」の用語がある場合には、同等のものを含むという意味で用いられている。また、「ほぼ」「約」「程度」などの用語がある場合には、常識的に認められる範囲や精度のものを含むという意味で用いられている。
【図面の簡単な説明】
【００５３】
【図１】本発明の実施例にかかる計器表示装置の正面図である。
【図２】図１の断面図である。
【図３】図１の分解斜視図である。
【図４】図１の立体表示文字板の断面図である。
【図５】図４の拡大表示用図柄部の平面図である。
【図６】図１の拡大図柄部の平面図である。
【図７】拡大図柄部の見え方を示す図４と同様の断面図である。
【図８】図１の文字板照明用薄型導光板の断面図である。
【図９】図８の部分的な底面図である。
【符号の説明】
【００５４】
６    文字板
２１  透明基材
３５  文字板照明機能部
３８  警告灯等表示部
３９  警告灯等点灯機能部
４１  微細レンズ部
４２  拡大表示用図柄部
４３  拡大図柄部
４４  立体表示文字板
４５  文字板照明用薄型導光板
４６  文字板照明用光源
４８  警告灯等表示板
４９  警告灯等点灯用光源
【図１】
2010127877.tif 000003
【図２】
2010127877.tif 000004
【図３】
2010127877.tif 000005
【図４】
2010127877.tif 000006
【図５】
2010127877.tif 000007
【図６】
2010127877.tif 000008
【図７】
2010127877.tif 000009
【図８】
2010127877.tif 000010
【図９】
2010127877.tif 000011